(57)【要約】【課題】装置本体のキー操作やリモートコントローラのキー操作を低減して光ディスクの再生が行える光ディスク再生装置を提供する。【解決手段】光ディスク再生装置１は、装置本体に対して出し入れ自在に設けられ、光ディスクが載置されるトレイと、物体（例えばユーザの体の一部）が所定の範囲内に存在するか否かを検知する物体検知手段１７と、を備え、物体検知手段１７による検知結果を利用して、トレイの出し入れを行う。【選択図】図１
2009271995.tif 000002
【特許請求の範囲】
【請求項１】
光ディスクに記録された情報を再生する光ディスク再生装置であって、
装置本体に対して出し入れ自在に設けられ、前記光ディスクが載置されるトレイと、
物体が所定の範囲内に存在するか否かを検知する物体検知手段と、を備え、
前記物体検知手段による検知結果を利用して、前記トレイの出し入れを行うことを特徴とする光ディスク再生装置。
【請求項２】
前記トレイに前記光ディスクが載置されているか否かを検知する光ディスク検知手段が更に備えられることを特徴とする請求項１に記載の光ディスク再生装置。
【請求項３】
前記物体検知手段によって前記物体が前記所定の範囲内に存在すると判断される場合には、前記トレイは排出され、
前記トレイが排出された状態においては、前記光ディスク検知手段によって前記トレイに前記光ディスクが載置されていると検知され、且つ、前記物体検知手段によって前記物体が前記所定の範囲内に存在しないと検知される場合には、前記トレイは収容されることを特徴とする請求項２に記載の光ディスク再生装置。
【請求項４】
前記光ディスク検知手段は赤外線センサであることを特徴とする請求項２又は３に記載の光ディスク再生装置。
【請求項５】
前記物体検知手段は赤外線センサであることを特徴とする請求項１から４のいずれかに記載の光ディスク再生装置。
【請求項６】
前記トレイに前記光ディスクが載置されて前記トレイが収容されると、前記光ディスクに記録される所定のコンテンツが自動的に再生されることを特徴とする請求項１から５のいずれかに記載の光ディスク再生装置。
【発明の詳細な説明】
【技術分野】
【０００１】
本発明は、光ディスクの再生を行うために用いられる光ディスク再生装置に関し、特にユーザのキー操作を低減して光ディスクの再生が行えるように構成された光ディスク再生装置に関する。
【背景技術】
【０００２】
近年、情報を記録する媒体として、ブルーレイディスク（以下ではＢＤと表現する）やデジタル多用途ディスク（以下ではＤＶＤと表現する）等の光ディスクが使用される。このような光ディスクを再生する装置として、ＢＤプレーヤやＤＶＤプレーヤ等の光ディスク再生装置が用いられる。
【０００３】
従来の光ディスク再生装置を用いて光ディスクの再生を行う場合、ユーザは装置本体の操作キーやリモートコントローラを用いて、いくつかのキー操作を行う必要がある。例えば、ユーザは、まず光ディスクを光ディスク再生装置にセットするために、光ディスクを載置するトレイの開閉操作（出し入れ）を行う必要がある。また、光ディスク再生装置に光ディスクがセットされた後には、例えば光ディスク再生装置に接続されるモニタ装置に表示される再生リスト（メニュー）を見て、再生したい内容（コンテンツ）をキー操作によって選択する必要がある。
【０００４】
このようなキー操作は、例えば光ディスク再生装置に不慣れな人にとっては、非常に煩わしく、面倒なものに感じられる場合がある。また、装置に不慣れでなくても、キー操作を極力行わないで光ディスクの再生を行えた方が便利であると考えるユーザもいる。例えば、映画のＢＤやＤＶＤを再生する場合、ユーザは基本的には映画の本編を見ることを意図している場合が多い。このために、メニュー画面を見ながら「本編再生」という項目を選択する作業は省略して、本編の再生を開始したいと感じる場合がある。
【０００５】
この点、特許文献１には、ＤＶＤが装置内に挿入されるか、もしくはユーザによって再生の指示がなされると、予め初期値として設定されているメニューに対応するコンテンツを自動的に選択して再生する光ディスク再生装置が開示されている。これによれば、ユーザはメニューからコンテンツの選択するためのキー操作を行わなくて良い。
【特許文献１】特開２００５−３０２１０４号公報
【発明の開示】
【発明が解決しようとする課題】
【０００６】
しかしながら、特許文献１に開示される構成においては、コンテンツの選択を行うためのキー操作を省略できるだけである。このために、装置本体のキー操作やリモートコントローラのキー操作を極力低減するという観点からは、更に改善が望まれるところである。
【０００７】
以上の点を鑑みて、本発明の目的は、装置本体のキー操作やリモートコントローラのキー操作を低減して光ディスクの再生が行える光ディスク再生装置を提供することである。
【課題を解決するための手段】
【０００８】
上記目的を達成するために本発明は、光ディスクに記録された情報を再生する光ディスク再生装置であって、装置本体に対して出し入れ自在に設けられ、前記光ディスクが載置されるトレイと、物体が所定の範囲内に存在するか否かを検知する物体検知手段と、を備え、前記物体検知手段による検知結果を利用して、前記トレイの出し入れを行うことを特徴としている。
【０００９】
この構成によれば、ユーザが例えば手を近づけたり遠ざけたりする動作を、物体検知手段によって検知することができる。このために、例えばユーザが手を近づけたり遠ざけたりする動作によって、トレイの出し入れを行うことが可能となる。したがって、装置本体のキー操作やリモートコントローラのキー操作を行うことなくして、光ディスク再生装置に光ディスクをセットすることが可能となる。すなわち、装置本体のキー操作やリモートコントローラのキー操作を低減して光ディスクの再生が行うことが可能となる。
【００１０】
また、本発明は、上記構成の光ディスク再生装置において、前記トレイに前記光ディスクが載置されているか否かを検知する光ディスク検知手段が更に備えられることとしても良い。
【００１１】
この構成によれば、物体検知手段と光ディスク検知手段の２つを用いて、トレイの出し入れを管理することが可能となる。したがって、光ディスク再生装置への光ディスクのセットが行い易くなる。
【００１２】
上記構成の光ディスク再生装置の具体的な構成として、前記物体検知手段によって前記物体が前記所定の範囲内に存在すると判断される場合には、前記トレイは排出され、前記トレイが排出された状態においては、前記光ディスク検知手段によって前記トレイに前記光ディスクが載置されていると検知され、且つ、前記物体検知手段によって前記物体が前記所定の範囲内に存在しないと検知される場合には、前記トレイは収容されることとしても良い。
【００１３】
また、本発明は、上記構成の光ディスク再生装置において、前記光ディスク検知手段は赤外線センサであることとしても良い。これによれば、装置を大型化することがなく、更に、光ディスク検知手段の取り付けが容易である。
【００１４】
また、本発明は、上記構成の光ディスク再生装置において、前記物体検知手段は赤外線センサであることとしても構わない。この構成によれば、例えばユーザの体の一部（例えば手）を検知する構成が簡易な構成で実現できる。
【００１５】
また、本発明は、上記構成の光ディスク再生装置において、前記トレイに前記光ディスクが載置されて前記トレイが収容されると、前記光ディスクに記録される所定のコンテンツが自動的に再生されることとしても良い。これにより、ユーザは、光ディスクに記録される複数のコンテンツから１つのコンテンツを選択する作業を省略することが可能となり、光ディスクを再生する際のキー操作を更に低減することができる。
【発明の効果】
【００１６】
本発明によれば、装置本体のキー操作やリモートコントローラのキー操作を低減して光ディスクの再生が行える光ディスク再生装置を提供できる。
【発明を実施するための最良の形態】
【００１７】
以下、本発明の光ディスク再生装置について実施形態を示して、図面を参照しながら詳細に説明する。ここで、光ディスク再生装置は、ＢＤ、ＤＶＤ、ＣＤ（コンパクトディスク）等の光ディスクに記録された情報を再生するために使用される装置である。
【００１８】
まず、本実施形態の光ディスク再生装置の構成について、図１、図２及び図３を参照しながら説明する。図１は、本実施形態の光ディスク再生装置の構成を示すブロック図である。図２は、本実施形態の光ディスク再生装置を正面から見た場合の概略平面図である。図３は、本実施形態の光ディスク再生装置が備えるトレイの構成を示す概略平面図である。
【００１９】
図１に示すように本実施形態の光ディスク再生装置１は、全体制御部１１と、ディスクドライブ部１２と、再生処理部１３と、表示部１４と、操作部１５と、リモコン受信部１６と、ユーザ検知部１７と、光ディスク検知部１８と、を備える。
【００２０】
全体制御部１１は、ＣＰＵ１１１とメモリ１１２などの周辺部品を備え、光ディスク再生装置１を構成する各部の制御を行う。
【００２１】
ディスクドライブ部１２は、光ディスクを光ディスク再生装置にセットする際に、光ディスクが載置されるトレイ２０（図３参照）を備える。トレイ２０は、光ディスク再生装置１の正面に設けられるイジェクト部１９（図２参照）から出し入れ自在となっている。トレイ２０の出し入れは、ディスクドライブ部１２に設けられるトレイ駆動機構（図示せず）によって行われる。
【００２２】
また、ディスクドライブ部１２には、光ディスクの回転を行うためのスピンドルモータや、光ディスクに記録される情報の読み取りを行う光ピックアップ（図示せず）が備えられる。スピンドルモータの駆動や、光ピックアップのラジアル方向（光ディスクの半径方向）への移動、サーボ機構の駆動、光源の駆動等は、ディスクドライブ部１２によって制御される。
【００２３】
再生処理部１３は、ディスクドライブ部１３の光ピックアップによって読み出された信号を処理する。再生処理部１３には、デコーダやエラー訂正部などが備えられる。再生処理部１３によって生成された映像信号及び音声信号は、光ディスク再生装置１にケーブルで接続されるモニタ装置へと出力される。
【００２４】
表示部１４は、図２に示すように光ディスク再生装置１の正面から見えるように取り付けられる。表示部１４は、例えば蛍光表示管（ＦＬ管）を用いて形成され、現在時刻、光ディスクの再生位置を示すカウンタ、光ディスク再生装置１の動作状態等を表示（ＦＬＤ表示）できるようになっている。
【００２５】
操作部１５は、ユーザが光ディスク再生装置１に対して各種の命令（コマンド）を入力するためのものである。図２に示すように、操作部１５には、例えば再生ボタン、停止ボタン、早送りボタン、巻き戻しボタン、トレイ２０の出し入れ（オープン、クローズ）用のボタン、メニュー選択用のボタン等、複数のボタンが設けられている。各種ボタンが押されることによって、対応するコマンドが全体制御部１１に出力される。
【００２６】
リモコン受信部１６は、ユーザが光ディスク再生装置１に直接触れることなく遠隔操作するためのリモートコントローラ（以下、リモコンと省略して記載する）から送信される操作信号（例えば赤外線などによる信号）を受信する受信部である。本実施形態の光ディスク再生装置１においては、図２に示すように光ディスク再生装置１の前面部分に取り付けられている。リモコン受信部１６は、受信した操作信号を変換してユーザが入力したコマンドを全体制御部１１に出力する。
【００２７】
ユーザ検知部１７は、ユーザの体の一部（これは物体に含まれる）が所定の範囲内に存在するか否かを検知するための手段として設けられている。ユーザ検知部１７は、図２に示すように光ディスク再生装置１の前面部分に取り付けられる。また、イジェクタ部１９近傍に設けられる。このような位置にユーザ検知部１７を設ける理由は、ユーザがトレイ２０に光ディスクを載置したり、トレイ２０から光ディスクを除去したりする場合に、ユーザが作業のためにその手を光ディスク再生装置１に近づけている間はそのことを検知できるようにするためである。また、前述の作業の終了によってユーザの手が光ディスク再生装置１から離れた場合にはそのことを検知できるようにするためである。
【００２８】
ユーザ検知部１７は、ユーザの体の一部が所定の範囲内に存在するか否かを検知することができる手段であればいずれの手段でも構わないが、例えば、焦電型赤外線センサ等を利用することができる。なお、焦電型赤外線センサには、人の体のみを検知するように特定の波長帯域のみ通過させるバンドパスフィルタが取り付けられる。
【００２９】
なお、ユーザ検知部１７による検知範囲があまりに広いと、誤動作を引き起こす可能性がある。また、逆にユーザ検知部１７による検知範囲があまりにも狭いと、ユーザからの指令を検出しにくくなる可能性がある。このような点を考えて、ユーザ検知部１７がユーザの体の一部が所定の範囲内に存在するか否かを検知する範囲は定められる。
【００３０】
光ディスク検知部１８は、トレイ２０に光ディスクが載置されているか否かを検知するための手段として設けられる。本実施形態においては、光ディスク検知部１８は、図３に示すようにトレイ２０に取り付けられる。また、光ディスク検知部１８は、発光部と受光部とを有する光反射型のフォトインタラプタからなっている。なお、本実施形態のフォトインタラプタは、近赤外線を発光する発光ダイオード（発光部）と、光を受光するフォトトランジスタ或いはフォトＩＣ（受光部）と、の組み合わせから成っており、赤外線センサの一種である。
【００３１】
本実施形態の光ディスク検知部１８においては、光ディスクがトレイ２０に載置されると、発光部から光ディスクに照射される光が光ディスクによって反射され、受光部で検出されるようになる。一方、光ディスクがトレイ２０に載置されていない場合には、発光部からの光は受光部には受光されないようになっている。このため、光ディスク検知部１８は、トレイ２０に光ディスクが載置されているか否かを検知できる。
【００３２】
なお、本実施形態においては、光ディスク検知部１８が赤外線センサである構成としているが、これに限定される趣旨ではない。すなわち、トレイ２０に光ディスクが載置されているか否かを検知できれば良く、例えば、トレイ２０に加わる荷重の変化によって光ディスクがトレイ２０に載置されているか否かを検知する構成等としても構わない。
【００３３】
本実施形態の光ディスク再生装置１の概略構成は以上のようである。次に、ユーザ検知部１７と光ディスク検知部１８を用いた全体制御部１１の動作について説明する。ユーザ検知部１７は、ユーザが光ディスク再生装置１に光ディスクをセットする際に、ユーザが行うキー操作を低減できるように設けられる。また、光ディスク検知部１８は、ユーザ検知部１７を用いて光ディスクをセットする構成において、ユーザがトレイ２０に光ディスクを載置する作業を行い易いように設けられる。このため、光ディスク検知部１８は、ユーザが行うキー操作を低減するという目的のみにおいては、必ずしも必要でないが、設けた方が好ましい。
【００３４】
全体制御部１１は、ユーザ検知部１７によってユーザの体の一部が所定の範囲内に存在することを知らされると、ディスクドライブ部１２に命令してトレイ２０を排出させる。また、全体制御部１１は、トレイ２０が排出されている状態において、光ディスク検出部１８によってトレイ２０に光ディスクが載置されていると知らされ、且つ、ユーザ検知部１７によってユーザの体の一部が所定の範囲内に存在すると知らされない（すなわち、ユーザの体の一部が所定の範囲内に存在しないと判断される）場合には、ディスクドライブ部１２に命令してトレイ２０を収容させる。
【００３５】
このように構成した場合、トレイ２０が排出された時点で光ディスクがトレイ２０に既に載置されていても、ユーザは容易に光ディスクの交換を行える。すなわち、例えば、トレイ２０が排出された時点で手（ユーザの体の一部）を近づけたままとして、トレイ２０に載置されている光ディスクを取り除く。そうすれば、光ディスク検知部１８の作用によって、ユーザが手を遠ざけてもトレイ２０は排出された状態のままとなる。このために、ユーザは無理な姿勢をとることなく、容易に光ディスクの交換を行える。
【００３６】
図４は、ユーザが光ディスクを光ディスク再生装置１内にセットする場合の光ディスク再生装置１の動作を示すフローチャートである。ユーザは、光ディスクを光ディスク再生装置１にセットしようとする場合、例えば、手（ユーザの体の一部）を光ディスク再生装置１（正確にはユーザ検知部１７）に近づける。上述のように、ユーザ検知部１７は、焦電型赤外線センサで構成されており、ユーザの手が所定の範囲内に近づくと、そのことを検知する（ステップＳ１）。なお、ユーザ検知部１７は、ユーザの手が所定の範囲内に近づいたことを検知すると、全体制御部１１にそのことを知らせる。
【００３７】
全体制御部１１は、ユーザ検知部１７からの信号が入力されると、ディスクドライブ部１２にトレイ２０を排出（イジェクト）するように命令する。これにより、トレイ駆動機構（図示せず）が駆動し、トレイ２０が排出される（ステップＳ２）。トレイ２０が排出されると、光ディスク検知部１８によって、トレイ２０に光ディスクが載置されているか否かが確認される（ステップＳ３）。
【００３８】
トレイ２０に光ディスクが載置されていない場合には、光ディスク再生装置１は、トレイ２０が排出された状態で待機する（ステップＳ４）。なお、この間にユーザが手を所定の範囲から遠ざけても、トレイ２０に光ディスクが載置されていないために、トレイ２０は排出されたままである。そして、再びトレイ２０に光ディスクが載置されているか否かが確認される。光ディスクがトレイ２０に載置されるまでこの動作が繰り返され、光ディスクが載置されると、次にユーザ検知部１７の検知結果に基づいて、ユーザの手が所定の範囲内に無いか否かが確認される（ステップＳ５）。
【００３９】
ユーザの手が所定の範囲内に無い（ユーザが近づけていた手を遠ざけた（離した））と判断される場合には、全体制御部１１はディスクドライブ部１２にトレイ２０を収容するように命令し、トレイ駆動機構の命令によってトレイ２０が収容される（ステップＳ６）。これにより、キー操作を行わずに、ユーザは再生予定の光ディスクを光ディスク再生装置１にセットできる。
【００４０】
なお、ステップＳ２でトレイ２０を排出した時点で光ディスクが載置されている場合もある。この場合は、ステップＳ３で、光ディスク検知部１８によって、トレイ２０に光ディスクが存在すると検知されることになる。このために、ステップＳ５に進んで、ユーザの手が所定の範囲内に無いか否かが確認されることになる。しかしながら、この場合には、光ディスクの交換を行う必要があるために、ユーザは所定の範囲内に手を近づけた状態のままとする。このために、ステップＳ３に戻るが、光ディスクが一旦取り除かれるために、ステップＳ３からステップＳ４に進み、上述の場合と同様の経過で、再生予定の光ディスクがトレイ２０に載置されて、トレイ２０が収容されることになる。
【００４１】
本実施形態の光ディスク再生装置１においては、以上のようにしてユーザが再生したい光ディスクが光ディスク再生装置１にセットされると、光ディスクに記録される所定のコンテンツが自動的に再生されるように構成されている。これについて、図５を参照しながら説明する。なお、図５は、本実施形態の光ディスク再生装置１における自動再生のフローを示すフローチャートである。
【００４２】
光ディスクが載置されたトレイ２０が装置内に収容されると、全体制御部１１の命令により、スピンドルモータが回転されて、光ディスクの管理情報領域に記録された内容にしたがって光ディスクの再生が開始される（ステップＳ１１）。そして、メニュー画面がモニタ装置に表示される（ステップＳ１２）。なお、映画が記録される光ディスク等では、コマーシャル映像が自動的に流れた後に、メニュー画面が表示される場合がある。メニュー画面が表示されると、ユーザはメニューの中から再生したいコンテンツを選択する必要があるが、本実施形態の光ディスク再生装置では、このコンテンツの選択を自動で行い、再生を行うようになっている。すなわち、光ディスクの再生にあたって、キー操作を低減できる構成となっている。
【００４３】
なお、本実施形態においては、メニュー画面の表示は、ユーザがその内容を確認できるように十分な時間行う構成としている。
【００４４】
モニタ装置に表示されるメニュー画面においては、メニューの一部が点滅或いは高輝度等となってハイライトされる画面が表示される。初期値としてハイライトされるメニューは、メニューの一番上の項目であることが一般的である。そして、映画が記録される光ディスク等においては、「本編再生」メニューが一番上の項目とされるのが一般的である。このため、本実施形態の光ディスク再生装置１では、初期値としてハイライトされる項目のコンテンツを自動再生することとしている。
【００４５】
すなわち、メニュー画面が表示されると、全体制御部１１は初期値としてハイライトされる項目に関するハイライト情報を光ディスクから取得する（ステップＳ１３）。そして、ハイライト情報からハイライトされているメニューに対応するボタンコマンドを取得し（ステップＳ１４）、ボタンコマンドの実行（所定のコンテンツの再生）を行う（ステップＳ１５）。
【００４６】
以上のように、本実施形態の光ディスク再生装置１によれば、ユーザは操作部１５やリモコンのキー操作を行うことなく、ユーザが再生したい光ディスクを光ディスク再生装置１にセットでき、所定のコンテンツを自動的に再生できる。
【００４７】
なお、本発明は以上に示した実施形態に限定される趣旨ではなく、本発明の目的を逸脱しない範囲で種々の変更が可能である。
【００４８】
例えば、本実施形態においては、ユーザ検知部１７によって、ユーザの体の一部を検知する構成としている。しかし、この構成に限らず、広く物体（人体の一部を含むより上位の概念）が所定の範囲内に存在するか否かを検知して、トレイ２０の出し入れを制御する構成としても構わない。この場合には、検知部の構成として例えば発光部と受光部とを設ける構成とし、物体が所定の範囲内に存在する場合には受光部で受光される光量が変化することを利用して、物体の存在を検知するようにしても良い。
【００４９】
また、本実施形態においては、光ディスクが光ディスク再生装置１にセットされると、所定のコンテンツが自動再生される構成とした。しかし、例えばユーザがメニュー画面に従ってキー操作を行いたいと考える場合も十分あり得る。このために、例えば、所定のコンテンツの再生が始まるまでに（場合によって、再生が始まってからでも構わない）、ユーザが操作部１５やリモコンを用いてキー操作した場合には、所定のコンテンツの自動再生を停止するように構成しても構わない。
【００５０】
また、本実施形態の構成によると、例えば再生中にユーザの体の一部（例えば手）が所定の範囲内に存在する場合には、トレイ２０が排出されてしまう。このために、例えば再生中は、ユーザ検知部１７からの信号があった場合でもトレイ２０の排出は行わないようにするのが好ましい。すなわち、ユーザ検知部１７や光ディスク検知部１８に基づくトレイ２０の出し入れについては、一定の制限を設けて行うのが好ましい。
【００５１】
また、本実施形態においては、ユーザ検知部１７及び光ディスク検知部１８を、光ディスクを光ディスク再生装置１にセットする場合にのみ使用する構成とした。しかしながら、光ディスクをトレイ２０から取り出す際にも使用可能である。すなわち、光ディスク検知部１８によれば、光ディスクの有無が変化したか否かも判断できる。したがって、光ディスクの有無が変化したと判断される場合であって、ユーザ検知部１７によってユーザの体の一部が所定の範囲内に存在しないと判断される場合には、トレイ２０が収容される構成とすれば、トレイ２０から光ディスクを取り出す場合にも、操作部１５やリモコンのキー操作を行わない構成とできる。
【００５２】
例えば、この構成を使って、光ディスクがトレイ２０から取り出されて、トレイ２０が光ディスク再生装置１に収容された場合には、更に電源オフを自動的に行う構成とすることもできる。これにより、ユーザが行うキー操作を更に低減できる。
【００５３】
本実施形態においては、光ディスク再生装置は、モニタ装置とは別装置である構成とした。しかし、本発明は、モニタ装置と一体型の光ディスク再生装置にも勿論適用可能である。また、本発明は、光ディスクに情報を記録する機能も併せ持つ光ディスク記録再生装置にも勿論適用可能である。
【産業上の利用可能性】
【００５４】
本発明の光ディスク再生装置は、装置本体キーやリモートコントローラのキー操作を低減して光ディスクの再生が行える。このために、光ディスクの再生に好適に使用できる。
【図面の簡単な説明】
【００５５】
【図１】は、本実施形態の光ディスク再生装置の構成を示すブロック図である。
【図２】は、本実施形態の光ディスク再生装置を正面から見た場合の概略平面図である。
【図３】は、本実施形態の光ディスク再生装置が備えるトレイの構成を示す概略平面図である。
【図４】は、ユーザが光ディスクを光ディスク再生装置内にセットする場合における、本実施形態の光ディスク再生装置の動作を示すフローチャートである。
【図５】は、本実施形態の光ディスク再生装置における自動再生のフローを示すフローチャートである。
【符号の説明】
【００５６】
１          光ディスク再生装置
１７        ユーザ検知部（物体検知手段）
１８        光ディスク検知部（光ディスク検知手段）
２０        トレイ
【図１】
2009271995.tif 000003
【図３】
2009271995.tif 000004
【図４】
2009271995.tif 000005
【図５】
2009271995.tif 000006
【図２】
2009271995.tif 000007